(57)【要約】【課題】魚類による食害の虞れがなくて、藻類を生育させて養殖することができて、漁礁としても有用な藻礁ブロックを提供すること。【解決手段】枠体１における少なくとも上面が開放状の内側空間部２に、藻類付着部４を配設すると共に、この藻類付着部４上における藻類の生育点部よりも高い部位に在って、内側空間部２を横断していて、藻類の生長した葉部が通り可能で魚類が侵入不可能な適宜大きさの網目を有する魚類隔離網部３を配設してある。【選択図】　図２
2004141066.tif 000002
【特許請求の範囲】
【請求項１】
枠体における少なくとも上面が開放状の内側空間部に、藻類付着部を配設すると共に、この藻類付着部上における藻類の生育点部よりも高い部位に在って、前記内側空間部を横断していて、藻類の生長した葉部が通り可能で魚類が侵入不可能な適宜大きさの網目を有する魚類隔離網部を配設してあることを特徴とする藻礁ブロック。
【請求項２】
藻類付着部下に在って、前記内側空間部を横断していて、棘皮動物が侵入不可能な適宜大きさの網目を有する棘皮動物隔離網部を配設してあることを特徴とする請求項１記載の藻礁ブロック。
【請求項３】
枠体の側面部に、棘皮動物隔離網部下側の内側空間部と連通状の穴部を開口形成してあることを特徴とする請求項１または２記載の藻礁ブロック。
【請求項４】
藻類付着部が、藻類の菌が着床している種糸を添設している網部材であることを特徴とする請求項１〜３のいずれか１項記載の藻礁ブロック。
【発明の詳細な説明】
【０００１】
【発明の属する技術分野】
本発明は藻礁ブロックに関し、さらに詳しくは藻類の養殖および漁礁としても有用な藻礁ブロックに関係している。
【０００２】
【従来の技術】
この種の類似品として、網籠内に石や貝等を詰めて構成した漁礁があり、海底に設置されて数ヶ月後には、網籠内の石や貝に着床して生長した藻類が海中に浮遊することで、魚の棲息場所として働いている。
ところで、藻類は、根から少し上の生育点といわれる部分が魚に食べられてしまうと生長できなくなる。また、藻類を餌さとしている海胆や海鼠等により根を食べられても生長することができない。
このような魚類や棘皮動物による食害の問題は、漁礁としての働きに係わることであるだけに軽視できない事項である。
【０００３】
【発明が解決しようとする課題】
解決しようとする課題は、第１には、魚類による食害の虞れがなくて、藻類を生育させて養殖することができて、漁礁としても有用な藻礁ブロックを、第２には、さらに、棘皮動物による食害の虞れがない藻礁ブロックを、第３には、さらに、軟体動物の卵が着床して孵化するのに好適な藻礁ブロックを、第４には、さらに、藻類を確実且つ効率良く養殖可能である藻礁ブロックを提供することにある。
【０００４】
【課題を解決するための手段】
本発明は前記した課題を達成するため、枠体における少なくとも上面が開放状の内側空間部に、藻類付着部を配設すると共に、この藻類付着部上における藻類の生育点部よりも高い部位に在って、前記内側空間部を横断していて、藻類の生長した葉部が通り可能で魚類が侵入不可能な適宜大きさの網目を有する魚類隔離網部を配設してあることを特徴とする。
また本発明では、藻類付着部下に在って、前記内側空間部を横断していて、棘皮動物が侵入不可能な適宜大きさの網目を有する棘皮動物隔離網部を配設してあることを特徴とする。
また本発明では、枠体の側面部に、棘皮動物隔離網部下側の内側空間部と連通状の穴部を開口形成してあることを特徴とする。
また本発明では、藻類付着部が、藻類の菌が着床している種糸を添設している網部材であることを特徴とする。
【０００５】
本発明における枠体は、平面視適宜角枠状或いは丸枠状のコンクリート製のもので、トラック等で運搬できて、しかも、海流に流されない重量を有する大きさのものであれば良い。この枠体における内側空間部は、少なくとも上面が開放していれば良く、上面及び下面がともに開放している態様のものであっても良い。藻類付着部は、板材からなる態様、多孔板材からなる態様、網部材からなる態様、藻類の菌が予め着床した前記いずれかの部材からなる態様、藻類の菌が予め着床した種糸を線材或いは棒材に絡めるように添設している網部材からなる態様のいずれであっても良い。
魚類隔離網部は、藻類の生長した葉部が通り可能で、魚類が侵入不可能な適宜大きさの網目を有する金属製または樹脂製の網部材であれば良い。この魚類隔離網部と藻類付着部との間の上下間隔は、魚類隔離網部が藻類付着部上における藻類の生育点部よりも高い部位を確保し得れば良い。
棘皮動物隔離網部は、棘皮動物が侵入不可能な適宜大きさの網目を有する金属製または樹脂製の網部材であれば良い。この棘皮動物隔離網部と藻類付着部との間の上下間隔は、棘皮動物隔離網部が藻類付着部に根付いた藻類の根を餌とする棘皮動物の動きを阻止可能であれば良い。
これらの藻類付着部、魚類隔離網部、棘皮動物隔離網部を構成する網部材は、菱形金網、亀甲金網、溶接金網等の公知の網部材のいずれであっても良い。
穴部は、丸穴或いは角穴のいずれであっても良く、また、一端口から他端口まで同径のストレート穴状、または、一端口が大径状で、他端口が小径状のテーパー穴状、その他のこれらに類する各種形状の穴状のものであっても良い。
【０００６】
【発明の実施の形態】
図１〜図４には本発明の藻礁ブロックにおける実施の１形態を例示しており、枠体１は平面視四角枠状のコンクリート製のもので、この枠体１における内側空間部２は上面及び下面ともに開放していて開口している。そして、内側空間部２における上半部には、上側に魚類隔離網部３を、中間に藻類付着部４を、下側に棘皮動物隔離網部５を、それぞれ内側空間部２内を横断させて配設してある。
【０００７】
魚類隔離網部３は、藻類の生長した葉部が通り可能で、魚類が侵入不可能な大きさの網目を有する金属製の網部材で形成してあり、網目の大きさは約４０ｍｍにしてある。そして、魚類隔離網部３は下側の藻類付着部４との上下位置関係を、魚類隔離網部３が藻類付着部４における藻類の生育点部よりも高い部位を確保し得るように設定してあり、この魚類隔離網部３と藻類付着部４の上下間隔を約２００ｍｍにしてある。
藻類付着部４は、海水が流通可能な適宜大きさの網目からなる金属製の網部材で形成してあり、この網部材を構成している縦横の線材または棒材には、藻類の菌が予め着床した種糸４ａを絡めるように添設している。網目の大きさは約６０ｍｍにしてある。
棘皮動物隔離網部５は、棘皮動物が侵入不可能な大きさの網目を有する金属製の網部材で形成してあり、網目の大きさは約４０ｍｍにしてある。また、棘皮動物隔離網部５は上側の藻類付着部４との上下位置関係を、棘皮動物隔離網部５が藻類付着部４に根付く藻類の根を食しようとする棘皮動物の動きを阻止して作用し得るように設定してあり、この棘皮動物隔離網部５と上側の藻類付着部４との上下間隔を約２００ｍｍにしてある。
【０００８】
枠体１の側面部１ａには、穴部６を棘皮動物隔離網部５下側の内側空間部２部分と連通状に開口形成してある。この穴部６は、側面部１ａ側の開口が大径で、内側空間部２側の開口が小径であるテーパー穴状に形成してあり、穴部６を通じて海水が内部空間部２さらに魚類隔離網部３、藻類付着部４、棘皮動物隔離網部５を経て流通可能にしてあると共に、穴部６が蛸壺として働いて、穴面６ａに蛸が卵を産み付けられるようにしてある。
また、枠体１の上面部１ｂ四隅における凹部１ｃ内には、被吊り部７を枕頭状に設けていて、この被吊り部７に吊り具（図示せず）を掛けて、運搬或いは施工時に上げ下ろし可能にしてある。
【０００９】
図５には本発明の藻礁ブロックにおける実施の他の１形態を例示しており、構成は前記した図１の態様のものと基本的に同一であるため、共通している構成の説明は符合を準用して省略し、相違する構成について説明する。
枠体１は、底面部１ｄの四隅に垂設した突部８を凹部１ｃに対して嵌脱可能に形成してあり、下段の枠体１における凹部１ｃに上段の枠体１の突部８を嵌めることで、枠体１を多段状に安定して積み重ねできるようにしてある。
【００１０】
【発明の効果】
Ａ．請求項１により、魚類隔離網部が藻類付着部への魚類の侵入を阻止するため、藻類付着部に着床して生長しようとする藻の生育点が保護されて、魚類による食害の虞れがなく、藻類を順調に生育させて養殖することができ、漁礁としても有用である。
Ｂ．請求項２により、さらに、棘皮動物隔離網部が藻類付着部への棘皮動物の侵入を阻止するため、藻類付着部に根付く藻類の根は棘皮動物から保護されて、棘皮動物による食害の虞れがない。
Ｃ．請求項３により、さらに、穴部が蛸等の軟体動物の棲息場所たとえば蛸壺として働くことで、蛸の卵の産み付け場所としても有用である。
Ｄ．請求項４により、さらに、予め着床している藻類の菌が生育することで、藻類を確実且つ効率良く養殖することができて、経済的に有益である。
【図面の簡単な説明】
【図１】本発明の本発明の藻礁ブロックにおける実施の１形態を例示している平面図。
【図２】縦断面図。
【図３】部分縦断面図。
【図４】分解斜視図。
【図５】本発明の本発明の藻礁ブロックにおける実施の他の１形態を例示している部分縦断面図。
【符号の説明】
１　枠体
１ａ　側面部
１ｂ　上面部
１ｃ　凹部
１ｄ　底面部
２　内側空間部
３　魚類隔離網部
４　藻類付着部
４ａ　種糸
５　棘皮動物隔離網部
６　穴部
６ａ　穴面
７　被吊り部
８　突部
【図１】
2004141066.tif 000003
【図２】
2004141066.tif 000004
【図３】
2004141066.tif 000005
【図４】
2004141066.tif 000006
【図５】
2004141066.tif 000007